(57)【特許請求の範囲】
【請求項１】
空調用空気入口部が開閉可能に設けられた上流側ケーシングと、
空調用空気出口部が開閉可能に設けられた下流側ケーシングと、
上流側ケーシングおよび下流側ケーシングの間に設けられて空気を通過させる熱交換器と、
前記上流側ケーシング内に設けられた第１の洗浄装置と、
前記下流側ケーシング内に設けられた第２の洗浄装置と、
前記第１の洗浄装置に設けられ、上流側ケーシング内面および熱交換器空気入口部を洗浄するように熱交換器上流側のケーシング内面方向および熱交換器空気入口部方向に洗浄用流体を噴射する第１の洗浄装置の洗浄ノズルと、
前記第２の洗浄装置に設けられ、下流側ケーシング内面および熱交換器空気出口部を洗浄するように熱交換器下流側のケーシング内面方向および熱交換器空気出口部方向に洗浄用流体を噴射する第２の洗浄装置の洗浄ノズルと
を備えることを特徴とする内部自動洗浄空調機。
【請求項２】
洗浄装置運転時に上流側ケーシングの空調用空気入口部および下流側ケーシングの空調用空気出口部が自動的に閉鎖されることを特徴とする請求項１に記載の内部自動洗浄空調機。
【請求項３】
空調用空気入口部が開閉可能に設けられた上流側ケーシングと、
空調用空気出口部が開閉可能に設けられた下流側ケーシングと、
上流側ケーシングおよび下流側ケーシングの間に設けられて空気を通過させる熱交換器と、
前記上流側ケーシング内に設けられた第１の洗浄装置と、
前記下流側ケーシング内に設けられた第２の洗浄装置と、
前記第１の洗浄装置に設けられ、上流側ケーシング内面および熱交換器空気入口部を洗浄するように熱交換器上流側のケーシング内面方向および熱交換器空気入口部方向に洗浄用流体を噴射する第１の洗浄装置の洗浄ノズルと、
前記第２の洗浄装置に設けられ、下流側ケーシング内面および熱交換器空気出口部を洗浄するように熱交換器下流側のケーシング内面方向および熱交換器空気出口部方向に洗浄用流体を噴射する第２の洗浄装置の洗浄ノズルと、
上流側ケーシングおよび下流側ケーシングに設けられた乾燥用流体出入口部を介し乾燥用流体を通流して上流側ケーシング内面および下流側ケーシング内面および熱交換器を乾燥させる乾燥装置と
を備えることを特徴とする内部自動洗浄空調機。
【請求項４】
洗浄装置運転時に上流側ケーシングの空調用空気入口部および乾燥用流体出入口部ならびに下流側ケーシングの空調用空気出口部および乾燥用流体出入口部が自動的に閉鎖され、洗浄後の乾燥装置運転時に上流側ケーシングの空調用空気入口部および下流側ケーシングの空調用空気出口部が閉鎖された状態を維持し上流側ケーシングおよび下流側ケーシングの乾燥用流体出入口部が自動的に開放されることを特徴とする請求項３に記載の内部自動洗浄空調機。
【請求項５】
上流側ケーシング底部および下流側ケーシング底部に設けられたドレンパンに洗浄用流体を噴射して滞留した固形物を排出する第３の洗浄装置を備えることを特徴とする請求項１ないし４のいずれか１項に記載の内部自動洗浄空調機。
【請求項６】
洗浄用流体として殺菌消毒剤を含む流体を噴射することを特徴とする請求項１ないし５のいずれか１項に記載の内部自動洗浄空調機。
【発明の詳細な説明】
【０００１】
【発明の属する技術分野】
本発明は、ケーシング内部および熱交換器の自動洗浄を可能とした内部自動洗浄空調機に関するものである。
【０００２】
【従来の技術】
食品工場や製薬工場等では多量の粉体を扱う部屋があり、このような部屋の空調は、一般的に、送風機により部屋の空気を吸引し熱交換器に通過させて熱交換した後に部屋内に導入する方式が採用されている。その場合、熱交換器や空調機内部に粉体が付着し空調機内部が不衛生になったり、粉体が熱交換器を閉鎖することで熱交換効率や送風量が低下し、空調機能に支障が生じるという問題があった。これを回避するために、熱交換器入口側にフィルターを設けることもあるが、粉体によりフィルターが詰まり、前述と同様に空調機能が低下することになる。
【０００３】
一方、本出願人は、特開２０００−３３７６５５にて、熱交換器や空調機内部などの空気通過部分を水で洗浄できるようにした内部洗浄可能パッケージ空調機を提案した。この空調機は、熱交換器や空調機内部に付着した粉体を効率良く除去できるものの、その洗浄方法は、作業者が空気通過部分の扉を全面開放して水を掛けて洗浄する方式であるため、洗浄作業のさらなる省力化が要望されており、洗浄時に作業室内の湿度を上昇させることも懸念され、製造環境の低湿度維持のための方策が課題であった。また、洗浄時に人手を介した洗浄作業を必要とするがゆえに、その設置形態が床置型に限定されていた。
【０００４】
【発明が解決しようとする課題】
このように、従来の空調機は、熱交換器の洗浄やフィルターの交換等、人手を介したメンテナンスを頻繁に行う必要があり、それが運転管理コストを引き上げる原因となっていた。
【０００５】
本発明は上記の事情に鑑みてなされたもので、ケーシング内部や熱交換器に付着した粉体を自動的に洗浄することができ、床置型あるいは天吊型を問わず設置可能で現場施工の容易な内部自動洗浄空調機を提供することを目的とする。
【０００６】
【課題を解決するための手段】
上記目的を達成するために本発明の内部自動洗浄空調機は、空調用空気入口部が開閉可能に設けられた上流側ケーシングと、空調用空気出口部が開閉可能に設けられた下流側ケーシングと、上流側ケーシングおよび下流側ケーシングの間に設けられて空気を通過させる熱交換器と、前記上流側ケーシング内に設けられた第１の洗浄装置と、前記下流側ケーシング内に設けられた第２の洗浄装置と、前記第１の洗浄装置に設けられ、上流側ケーシング内面および熱交換器空気入口部を洗浄するように熱交換器上流側のケーシング内面方向および熱交換器空気入口部方向に洗浄用流体を噴射する第１の洗浄装置の洗浄ノズルと、前記第２の洗浄装置に設けられ、下流側ケーシング内面および熱交換器空気出口部を洗浄するように熱交換器下流側のケーシング内面方向および熱交換器空気出口部方向に洗浄用流体を噴射する第２の洗浄装置の洗浄ノズルとを備えることを特徴とするものである。
【０００７】
また本発明は、前記内部自動洗浄空調機において、洗浄装置運転時に上流側ケーシングの空調用空気入口部および下流側ケーシングの空調用空気出口部が自動的に閉鎖されることを特徴とするものである。
【０００８】
また本発明の内部自動洗浄空調機は、空調用空気入口部が開閉可能に設けられた上流側ケーシングと、空調用空気出口部が開閉可能に設けられた下流側ケーシングと、上流側ケーシングおよび下流側ケーシングの間に設けられて空気を通過させる熱交換器と、前記上流側ケーシング内に設けられた第１の洗浄装置と、前記下流側ケーシング内に設けられた第２の洗浄装置と、前記第１の洗浄装置に設けられ、上流側ケーシング内面および熱交換器空気入口部を洗浄するように熱交換器上流側のケーシング内面方向および熱交換器空気入口部方向に洗浄用流体を噴射する第１の洗浄装置の洗浄ノズルと、前記第２の洗浄装置に設けられ、下流側ケーシング内面および熱交換器空気出口部を洗浄するように熱交換器下流側のケーシング内面方向および熱交換器空気出口部方向に洗浄用流体を噴射する第２の洗浄装置の洗浄ノズルと、上流側ケーシングおよび下流側ケーシングに設けられた乾燥用流体出入口部を介し乾燥用流体を通流して上流側ケーシング内面および下流側ケーシング内面および熱交換器を乾燥させる乾燥装置とを備えることを特徴とするものである。
【０００９】
また本発明は、前記内部自動洗浄空調機において、洗浄装置運転時に上流側ケーシングの空調用空気入口部および乾燥用流体出入口部ならびに下流側ケーシングの空調用空気出口部および乾燥用流体出入口部が自動的に閉鎖され、洗浄後の乾燥装置運転時に上流側ケーシングの空調用空気入口部および下流側ケーシングの空調用空気出口部が閉鎖された状態を維持し上流側ケーシングおよび下流側ケーシングの乾燥用流体出入口部が自動的に開放されることを特徴とするものである。
【００１０】
また本発明は、前記内部自動洗浄空調機において、上流側ケーシング底部および下流側ケーシング底部に設けられたドレンパンに洗浄用流体を噴射して滞留した固形物を排出する第３の洗浄装置を備えることを特徴とするものである。
【００１１】
また本発明は、前記内部自動洗浄空調機において、洗浄用流体として殺菌消毒剤を含む流体を噴射することを特徴とするものである。
【００１２】
【発明の実施の形態】
以下図面を参照して本発明の実施形態例を詳細に説明する。
【００１３】
図１は本発明に係る内部自動洗浄空調機の一実施形態例を示す構成説明図である。
【００１４】
空調用空気上流側ケーシング１１は例えば内部に断熱材を閉じ込めた耐水・耐食性板等の外板により箱状に構成される。前記ケーシング１１に設けられる空調用空気入口部には内部に空気通路を形成した筒状のケーシングと、その空気通路を開閉し得る開閉板を備えた空気入口部開閉装置１２が設けられ、この空気入口部開閉装置１２の上部には空気入口部開閉装置１２の開閉を自動的に操作するアクチュエータ１３が設けられる。前記ケーシング１１内には第１の洗浄装置１４が設けられ、この第１の洗浄装置１４には、空調機外部に設置されたポンプや配管等の洗浄流体供給手段（図示せず）に連結されて、水等の洗浄流体を噴射する洗浄ノズル１５が設けられると共に、ケーシング１１の底部にはドレンパン１６が設けられる。前記ケーシング１１より空調用空気下流側には熱交換器１７が設けられる。この熱交換器１７は例えばクロスフィンコイル式の直膨コイル等よりなり、冷媒用電磁弁で冷媒量を調整して直膨コイルに冷媒を循環し、温度膨張弁を経由して直膨コイルを冷却または加熱することにより、直膨コイルを通過する空気が冷却または加熱される。前記熱交換器１７より空調用空気下流側には空調用空気下流側ケーシング１８が設けられ、このケーシング１８は例えば内部に断熱材を閉じ込めた耐水・耐食性板等の外板により箱状に構成される。前記ケーシング１８内には第２の洗浄装置１９が設けられ、この第２の洗浄装置１９には、空調機外部に設置されたポンプや配管等の洗浄流体供給手段（図示せず）に連結されて、水等の洗浄流体を噴射する洗浄ノズル２０が設けられると共に、ケーシング１８の底部にはドレンパン２１が設けられる。前記ケーシング１８の空調用空気出口部には内部に空気通路を形成した筒状のケーシングと、その空気通路を開閉し得る開閉板を備えた空気出口部開閉装置２２が設けられ、この空気出口部開閉装置２２の上部には空気出口部開閉装置２２の開閉を自動的に操作するアクチュエータ２３が設けられる。前記空気出口部開閉装置２２の空調用空気下流側には送風機２４を収納した送風機室３４が空調用空気を矢印２５方向に通過させるように設けられる。
【００１５】
一方、ケーシング１１およびケーシング１８には、空調用空気とは異なる経路で流体を出入りさせる手段が設けられる。すなわち、前記上流側ケーシング１１には乾燥用流体出入口部が設けられ、この乾燥用流体出入口部には流通管２６を介して乾燥装置（図示せず）が設けられる。前記流通管２６には流体開閉装置２７が設けられる。前記下流側ケーシング１８には乾燥用流体出入口部が設けられ、この乾燥用流体出入口部には流通管２８を介して乾燥装置（図示せず）が設けられる。前記流通管２８には流体開閉装置２９が設けられる。なお、流体開閉装置２７，２９には開閉を自動的に操作するアクチュエータを各々付設しても良い。この場合、空気入口部開閉装置１２およびアクチュエータ１３、空気出口部開閉装置２２およびアクチュエータ２３、流体開閉装置２７およびアクチュエータ、ならびに流体開閉装置２９およびアクチュエータに好適な装置として、ＯＮ−ＯＦＦ式のモータダンパが利用できる。これらのモータダンパは、上流側ケーシング１１あるいは下流側ケーシング１８に着脱可能に設けられる。
【００１６】
また、内部自動洗浄空調機の主要な構成部材、すなわち、第１の洗浄装置１４とドレンパン１６を備えた上流側ケーシング１１、第２の洗浄装置１９とドレンパン２１を備えた下流側ケーシング１８、アクチュエータ１３を備えた空気入口部開閉装置１２、アクチュエータ２３を備えた空気出口部開閉装置２２、流体開閉装置２７，２９、熱交換器１７、ならびに送風機２４を備えた送風機室３４は、それぞれ独立したユニットであり、構成部材毎に分割して搬入・据付することができるようになっている。
【００１７】
本発明の内部自動洗浄空調機の運転モードは、図３に示すように、空調運転モード、洗浄運転モード、および、乾燥運転モードからなり、それぞれの制御動作は次のようになる。
【００１８】
空調運転モード、すなわち、熱交換器１７を動作して例えば冷暖房等の空調を行う場合には、流体開閉装置２７，２９を自動的に閉鎖してケーシング１１，１８内の乾燥用流体の出入りを停止すると共に洗浄装置１４，１９の洗浄ノズル１５，２０からの洗浄用流体の噴射を停止し、且つ開閉装置１２，２２をアクチュエータ１３，２３により自動的に開放した状態において、送風機２４を動作すれば、空調用空気が矢印２５方向に通過し、熱交換器１７を通過する空気が冷却または加熱されて空調対象室に供給される。この運転モードでは、例えば、空調機ＯＮ時に通常制御として冷暖房を実施するような制御が行われる。
【００１９】
次に、洗浄運転モード、すなわち、洗浄装置１４，１９を運転する場合には、開閉装置１２，２２をアクチュエータ１３，２３により自動的に閉鎖すると共に流体開閉装置２７，２９を自動的に閉鎖してケーシング１１，１８内の乾燥用流体の出入りを停止した状態において、第１の洗浄装置１４の洗浄ノズル１５から洗浄用流体を噴射して熱交換器１７上流側のケーシング１１内面および熱交換器１７空気入口部を洗浄し、且つ第２の洗浄装置１９の洗浄ノズル２０から洗浄用流体を噴射して熱交換器１７下流側のケーシング１８内面および熱交換器１７空気出口部を洗浄する。洗浄用流体はケーシング底部のドレンパン１６，２１に集められて空調機外に排水される。この運転モードでは、例えば、空調運転終了後に運転を開始し、所定時間運転を実施するようなシーケンス制御にしても良いし、あるいは、空調運転中に熱交換器空気出入口間の差圧計計測値が所定値を上回った場合、空調運転終了後に運転を開始し、所定時間運転を実施するような制御を行うようにしても良い。
【００２０】
最後に、乾燥運転モード、すなわち、洗浄後に乾燥装置を運転する場合には、開閉装置１２，２２をアクチュエータ１３，２３により自動的に閉鎖した状態を維持し、流体開閉装置２７，２９を自動的に開放して、乾燥装置から流通管２６，２８を介してケーシング１１，１８内に乾燥流体を通流してケーシング１１，１８内面および熱交換器１７を乾燥する。この場合、流通管２６，２８のどちらから乾燥流体を入れてもよく、乾燥流体は一方の流通管から入れて、他方の流通管から排出される。この運転モードでは、例えば、洗浄運転終了後に運転を開始し、所定時間運転を実施するような制御が行われる。
【００２１】
図２（ａ），（ｂ）は本発明に係るドレンパンの一例を示す正面図および側面図である。ケーシング１１の底部には傾斜したドレンパン１６が設けられ、ドレンパン１６の上流側にはドレンパン洗浄用給水配管３１およびドレンパン洗浄用ノズル３２等の第３の洗浄装置が設けられ、ドレンパン１６の下流側には排水管３３が連結される。すなわち、第３の洗浄装置はドレンパン洗浄用ノズル３２から洗浄用流体を噴射して滞留した固形物を排出する。第３の洗浄装置は、前述の洗浄運転モードにおいて、第１および第２の洗浄装置に連動するように運転しても良いし、あるいは、第１および第２の洗浄装置が所定時間運転された後に運転を開始し、洗浄運転モードが終了するまで運転を実施するようにしても良い。
【００２２】
尚、第１〜３の洗浄装置から噴射する洗浄用流体として殺菌消毒剤を含む流体を用いることができ、このような殺菌消毒剤を含む流体を用いることにより殺菌消毒することができ、衛生的である。
【００２３】
また、乾燥装置から供給される乾燥用流体として、熱風もしくは常温の風を用いることができる。この場合、熱風を用いれば効率的に乾燥することができる。
【００２４】
以上のように、食品工場や製薬工場等で多量の粉体を扱う部屋では、空調時に熱交換器のフィン等に粉体や塵埃が付着するため、空調後に熱交換器等を洗浄する必要がある。また、多量の粉体を扱う部屋では湿気は禁じられなければならないため、熱交換器等を洗浄後乾燥する必要がある。この場合、熱交換器の両面側より洗浄を行うことにより十分な洗浄効果を得ることができる。また、熱交換器等を洗浄後乾燥することにより、熱交換器等に黴が発生するのを防止することができる。
【００２５】
【発明の効果】
以上述べたように本発明によれば、ケーシング内部や熱交換器に付着した粉体を人手を介することなく自動的に洗浄する内部自動洗浄空調機を提供することができる。また、自動洗浄機構を備えることにより、床置型あるいは天吊型を問わず設置可能な内部自動洗浄空調機を提供することができる。また、開閉装置、洗浄装置およびドレンパンを備えた上流側ケーシングおよび下流側ケーシング、熱交換器、ならびに送風機室等の構成部材がそれぞれ独立したユニットであるため、構成部材毎に分割して搬入・据付が可能であり、現場施工時の省力化に寄与できる。さらに、開閉装置を利用した自動洗浄機構や自動乾燥機構を備えることにより、洗浄時および洗浄後において、ケーシング内部や熱交換器等の空調機内空間、空調機外空間、空調対象室等を容易に低湿度に維持できる内部自動洗浄空調機を提供することができる。
【図面の簡単な説明】
【図１】本発明に係る内部自動洗浄空調機の一実施形態例を示す構成説明図である。
【図２】本発明に係るドレンパンの一例を示す正面図および側面図である。
【図３】本発明に係る内部自動洗浄空調機の運転モードの一例を示す説明図である。
【符号の説明】
１１，１８  ケーシング
１２  空気入口部開閉装置
１４  第１の洗浄装置
１６，２１  ドレンパン
１７  熱交換器
１９  第２の洗浄装置
２２  空気出口部開閉装置
２４  送風機
２７，２９  流体開閉装置
【図１】
0003696546.tif 000002
【図２】
0003696546.tif 000003
【図３】
0003696546.tif 000004